(57)【要約】      （修正有）【課題】森林資源としての樹木を注文するユーザー（顧客）と、森林を管理する山主若しくは林業家の双方に有益な森林資源流通管理システムを提供する。【解決手段】森林資源流通管理システムにおいて、管理サーバは、森林測定器からの情報を第１の情報として受信してデータ蓄積し、第１の情報の内、ユーザーが希望する樹木として選択する情報を第２の情報として少なくとも含むように受信し、処分対象である廃材として認識されていた樹木であるかを判別可能にデータ蓄積し、完成品の価格から割り出される選択した樹木の価格データを蓄積し、新たに森林の伐採前の情報を取得するとき、第２の情報の内で処分対象である廃材として認識されていた樹木で選択された樹木と特徴量が類似する、新たに情報が取得された樹木を流通対象として伐採手順情報及び完成品の価格から割り出される価格データに基づく価格を加えた販売予測情報を、第３の情報として提供する。【選択図】図７
2020201933.tif 000002
【特許請求の範囲】
【請求項１】
管理サーバを有する森林資源流通管理システムであって、
前記管理サーバは、
山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積することと、
前記第１の情報の内、ユーザーが希望する樹木として選択する情報を第２の情報として少なくとも含むように受信し、処分対象である廃材として認識されていた樹木であるかを判別可能にデータ蓄積することと、
前記ユーザーが希望する樹木として選択した樹木を用いた完成品の価格から割り出される前記選択した樹木の価格データを蓄積することと、
新たに山主もしくは林業家が管理する森林における所定区画の樹木に対し、前記取得手段でそれぞれの樹木の伐採前の情報を取得するとき、
データ蓄積された前記第２の情報の内で処分対象である廃材として認識されていた樹木
であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供すること、
とを少なくとも実行するように構成されていることを特徴とする森林資源流通管理システム。
【請求項２】
前記ユーザーが希望する樹木は、家具もしくはリフォーム、建築、装飾品のいずれかにおける木質デザインに関わるデザイナー、および前記林業家のうち、少なくとも前記デザイナーと共に、前記ユーザーが選択することを特徴とする請求項１に記載の森林資源流通管理システム。
【請求項３】
前記ユーザーが希望する樹木は、家具もしくはリフォーム、建築、装飾品のいずれかにおける木質デザインに関わるデザイナー、および前記林業家と共に、前記ユーザーが選択し、
蓄積される前記第２の情報には、前記デザイナーおよび前記林業家のそれぞれの採否の判断を含むことを特徴とする請求項１に記載の森林資源流通管理システム。
【請求項４】
前記取得手段を有することを特徴とする請求項１乃至３のいずれか1項に記載の森林資源流通管理システム。
【請求項５】
前記管理サーバは、前記第１の情報の概略をＳＮＳで市場に送信し、市場からの反応を収集して前記所定区画における樹木の価値を分析することを実行するように構成されていることを特徴とする請求項１乃至４のいずれか1項に記載の森林資源流通管理システム。
【請求項６】
前記取得手段は、それぞれの樹木の径および高さ並びに曲がり具合がユーザーに認識できる３６０度画像を取得することを特徴とする請求項１乃至５のいずれか1項に記載の森林資源流通管理システム。
【請求項７】
前記第３の情報は、林業家へ提供される伐採手順情報を備え、
林業家に提供される前記伐採手順情報に基づいて自動伐採を行う自動伐採機を備えることを特徴とする請求項１乃至６のいずれか１項に記載の森林資源流通管理システム。
【請求項８】
森林資源流通管理方法であって、
山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、
前記第１の情報の内、ユーザーが希望する樹木として選択する情報を第２の情報として少なくとも含むように受信し、処分対象である廃材として認識されていた樹木であるかを判別可能にデータ蓄積するステップと、
前記ユーザーが希望する樹木として選択した樹木を用いた完成品の価格から割り出される前記選択した樹木の価格データを蓄積するステップと、
新たに山主もしくは林業家が管理する森林における所定区画の樹木に対し、前記取得手段でそれぞれの樹木の伐採前の情報を取得するとき、
データ蓄積された前記第２の情報の内で処分対象である廃材として認識されていた樹木
であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、
を有することを特徴とする森林資源流通管理方法。
【請求項９】
管理サーバに、
山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、
前記第１の情報の内、ユーザーが希望する樹木として選択する情報を第２の情報として少なくとも含むように受信し、処分対象である廃材として認識されていた樹木であるかを判別可能にデータ蓄積するステップと、
前記ユーザーが希望する樹木として選択した樹木を用いた完成品の価格から割り出される前記選択した樹木の価格データを蓄積するステップと、
新たに山主もしくは林業家が管理する森林における所定区画の樹木に対し、前記取得手段でそれぞれの樹木の伐採前の情報を取得するとき、
データ蓄積された前記第２の情報の内で処分対象である廃材として認識されていた樹木
であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、
を少なくとも実行させることを特徴とするプログラム。
【発明の詳細な説明】
【技術分野】
【０００１】
本発明は、森林資源としての樹木を注文するユーザー（顧客）と、森林を管理する山主もしくは林業家の双方に有益な森林資源流通管理システムおよび森林資源流通管理方法並びにプログラムに関する。
【背景技術】
【０００２】
山主もしくは林業家が管理する森林において、伐採される所定区画におけるスギやヒノキなどの樹木は、特許文献１に記載されるように、丸太として玉切りされ、一般に原木市場で売買された後に、製材工場に搬送されて加工され、木材店や工務店に流通する。
【先行技術文献】
【特許文献】
【０００３】
【特許文献１】特開２０１１−１８６５８７号公報
【発明の概要】
【発明が解決しようとする課題】
【０００４】
従来の森林資源流通管理システムでは、比較的真っ直ぐ伸びた部分を有する樹木だけが流通対象となり、これから外れた樹木（曲がったような樹木）は処分されていた。
【０００５】
しかしながら、例えば家具・リフォーム業にアクセスするユーザー（顧客）によっては、自分で選択する場合、あるいは家具やリフォームのデザインを行うデザイナーに相談しながら選択する場合、曲がった樹木であっても自分の好みに合う樹木について入手を希望するということが考えられる。特に、従来の流通対象から外れる樹木ということで安価に入手できるものであれば、是非入手を希望するということが考えられる。
【０００６】
一方、森林を管理する山主もしくは林業家において、従来処分していたに過ぎない樹木が流通対象となれば、収益が増加することで森林保護への投資を進めることができ、また林業家において新たな流通対象に応じた伐採手順が必要と考えられる。
【０００７】
本発明の目的は、森林資源としての樹木を注文するユーザー（顧客）と、森林を管理する山主もしくは林業家の双方に有益な森林資源流通管理システムおよび森林資源流通管理方法並びにプログラムを提供することにある。
【課題を解決するための手段】
【０００８】
上記目的を達成するため、本発明に係る森林資源流通管理システムは、管理サーバを有する森林資源流通管理システムであって、前記管理サーバは、山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積することと、前記第１の情報の内、ユーザーが希望する樹木として選択する情報を第２の情報として少なくとも含むように受信し、処分対象である廃材として認識されていた樹木であるかを判別可能にデータ蓄積することと、前記ユーザーが希望する樹木として選択した樹木を用いた完成品の価格から割り出される前記選択した樹木の価格データを蓄積することと、新たに山主もしくは林業家が管理する森林における所定区画の樹木に対し、前記取得手段でそれぞれの樹木の伐採前の情報を取得するとき、データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供すること、とを少なくとも実行するように構成されていることを特徴とする。
【０００９】
また、本発明に係る森林資源流通管理方法は、山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、前記第１の情報の内、ユーザーが希望する樹木として選択する情報を第２の情報として少なくとも含むように受信し、処分対象である廃材として認識されていた樹木であるかを判別可能にデータ蓄積するステップと、前記ユーザーが希望する樹木として選択した樹木を用いた完成品の価格から割り出される前記選択した樹木の価格データを蓄積するステップと、新たに山主もしくは林業家が管理する森林における所定区画の樹木に対し、前記取得手段でそれぞれの樹木の伐採前の情報を取得するとき、データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、を有することを特徴とする。
【００１０】
また、本発明に係るプログラムは、管理サーバに、山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、前記第１の情報の内、ユーザーが希望する樹木として選択する情報を第２の情報として少なくとも含むように受信し、処分対象である廃材として認識されていた樹木であるかを判別可能にデータ蓄積するステップと、前記ユーザーが希望する樹木として選択した樹木を用いた完成品の価格から割り出される前記選択した樹木の価格データを蓄積するステップと、新たに山主もしくは林業家が管理する森林における所定区画の樹木に対し、前記取得手段でそれぞれの樹木の伐採前の情報を取得するとき、データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、を少なくとも実行させることを特徴とする。
【発明の効果】
【００１１】
本発明によれば、森林資源としての樹木を注文するユーザー（顧客）と、森林を管理する山主もしくは林業家の双方に有益な森林資源流通管理システムおよび森林資源流通管理方法並びにプログラムを提供することができる。
【図面の簡単な説明】
【００１２】
【図１】本発明の実施形態に係る森林資源流通管理システムにおける全体概念図
【図２】従来の市場情報の流れと、本発明の実施形態に係る森林資源流通管理システムにおける市場情報の流れに関する説明図
【図３】本発明の実施形態に係る森林資源流通管理システムにおける管理サーバを主体としたシステム構成図
【図４】従来処分対象として認識されていた曲木が流通対象となる場合における販売予測情報および伐採手順情報に関する概念図
【図５】ユーザーが選択する樹木における計測から家具としての納品までの流れを示す図
【図６】販売予測情報および伐採手順情報の提供に至る概念図
【図７】図６の概念図に対応するフローチャート
【図８】管理サーバに関するブロック図
【図９】樹木の特徴量の類似判断に関する図
【発明を実施するための形態】
【００１３】
以下、本発明の実施形態に係わる森林資源流通管理システムにおける管理サーバを主体としたシステム構成図を図３に示す。図３に示すように、管理サーバ３０１と公知の森林測定器３０２、管理サーバ３０１と業者ユーザーとしての家具・リフォーム業者３０３、個人ユーザーが携帯するモバイル端末３０４、山主・林業家３０５は、インターネットで互いに接続されている。モバイル端末３０４は、個人ユーザーの移動とともに移動可能な情報端末機器で、スマートフォン（スマホ）に代表されるものであり、ノート型ＰＣやタブレット端末などを含むものである。
【００１４】
さて、山主・林業家３０５が管理する森林における所定区画の樹木（スギ、ヒノキ、マツなどの針葉樹もしくはブナ、サクラなどの広葉樹）を林業家による伐採対象とするとき、該所定区画におけるそれぞれの樹木の伐採前の情報を取得する取得手段として、森林測定器３０２が機能する。森林測定器３０２としては、株式会社アドイン研究所で開発された森林３次元計測システム「ＯＷＬ（登録商標）」（Ｏｐｔｉｃａｌ  Ｗｏｏｄｓ  Ｌｅｄｇｅｒ）が知られている。これは、レーザースキャナとセンサとＧＰＳ受信機を備え、立木調査として胸高直径や樹高・曲がりを計測（下方９０度を除くスキャン３６０度で上空のデータも広くとらえる）し、計測データから位置図や平均材積などが得られ、更には３次元で森林内を表現するウォークスルーなどでパソコン上で森林を再現できるものである。
【００１５】
森林測定器３０２の使い方として、測定者は森林を歩きながら、森林測定器３０２を移動させる。森林測定器３０２によって、伐採が予定される所定区画の樹木毎（樹木α、樹木β、樹木γなど）に伐採前の樹木の情報として樹木の径および高さ並びに曲がり具合がユーザーに認識できる３６０度画像（歩行映像））が取得される。取得情報はインターネットを介して管理サーバ３０１へ送信され、管理サーバ３０１は第１の情報として取得情報を受信する。
【００１６】
なお、森林測定器３０２は上述したような移動型に限らず、それぞれの樹木に対応して固定して設けられるものであっても良い。
【００１７】
後に詳述するように、ユーザー（顧客）は家具・リフォーム業者３０３でユーザーが希望する家具もしくはリフォームのデザインに適合する樹木を選択することができる。この選択情報はインターネットを介して管理サーバ３０１へ送信され、管理サーバ３０１は第２の情報として選択情報を受信する。
【００１８】
そして、管理サーバ３０１は、第１の情報に対する第２の情報に基づいて、第３の情報として伐採手順情報もしくは販売予測情報を林業家もしくは山主（山主・林業家３０５）へ送信する。第１の情報に対する第２の情報として曲がった樹木が多く選択された場合、
第３の情報として、処分対象である廃材として認識された場合のような粗雑な伐採でなく、流通資産としての慎重な伐採が必要であり、伐採順序を含めた伐採手順情報、もしくは一般的な販売予想価格よりも高い販売予想価格という販売予測情報を送信する。
【００１９】
第１の情報に対する第２の情報として曲がった樹木が多く選択された場合は勿論、本発明においては、処分対象である廃材として認識されていた曲がっている等の樹木（以下、代表的に曲木（まげき）という）をユーザーが選択する場合、過去に選択された曲木と特徴量（樹木の形状を定量化したもので曲がり具合（曲がり度）を含む）が類似するときは流通対象とするように伐採手順情報を林業家へ提供する。また、上記流通対象を加えるように販売予測情報を林業家もしくは山主へ提供する。これを概念図として示したものが、図４である。
【００２０】
販売予測情報に関し、従来より流通対象と認識されていた真っ直ぐな樹木（以下、代表的に直木（ちょくぼく）という）に対する販売予想価格Ａについては、一般的（慣用的）な算出（特定）が考えられ、曲木に対する販売予想価格Ｂの算出（特定）については後に詳述する。
【００２１】
また、伐採手順情報に関し、上記新たな流通対象となる曲木については、廃材として処分するための除伐対象あるいは間伐対象から流通対象としての主伐対象とする（これについても後に詳述する）。
【００２２】
ここで、主伐とは、流通対象としての樹木を収穫するための伐採である。また、除伐とは、育成途中の幼い木（幼齢木）を守るための伐採である。また、間伐とは、樹木の生育を促すために間引くための伐採である。
【００２３】
本実施形態において、ユーザー（顧客）とデザイナーが樹木を画像によって直接見ることにより、原木市場に卸すよりも高値が付ければ、山主と林業家は市場ではなく直接販売することにより収入を高めることができる。
【００２４】
なお、図３において、管理サーバ３０１よりＳＮＳで市場に送信された情報をモバイル端末３０４で受信し、市場からの反応として管理サーバ３０１へ「いいね」等と評価情報を送信できる。そして、管理サーバ３０１は、市場からの反応を収集して伐採対象となる所定区画における樹木の価値を分析する。
【００２５】
次に、本発明の実施形態に係る森林資源流通管理システムにおける全体概念図を図１に示す。
【００２６】
図１のａにおいて、Ａ社が樹木の伐採前の画像を含む情報を取得する取得手段としての森林測定器３０２をハードウエアとして、地域の有力な山主・林業家に販売する。及び、測定作業の支援または測定全体を有料で請け負う。
【００２７】
図１のｂにおいて、有力な山主・林業家は、周囲の山主・林業家に有料（安価）で森林測定器３０２をレンタルする。このレンタルをＡ社は無料でサポートする。
【００２８】
図１のｃにおいて、地域の有力な山主・林業家や周囲の山主・林業家は、売り出したい森林領域（管理している森林の所定区画）において、森林測定器３０２を用いた測定を行う。測定データはＡ社に伝送され、Ａ社が有料で分析結果を提供する。
【００２９】
図１のｄにおいて、測定データは山主・林業家の許可を得て、ＳＮＳ（ソーシャル・ネットワーキング・サービス）やＨＰ（ホームページ）のサイトにて大まかな映像情報として一般に開放し閲覧可能とする。
【００３０】
図１のｅにおいて、地域のイベント・観光業者・飲食店や家具・リフォームの業者などからサイトへのバナー広告を掲載してもらい、Ａ社更には山主・林業家は広告代を収入として受け取る。
【００３１】
図１のｆにおいて、Ａ社は、山主・林業家の許可を得て、管理サーバ３０１より、測定データを詳細な樹木情報として地域の森林樹木プロヂューサーや家具・リフォーム業者３０３（図３）に無料で提供（送信）する。ユーザー（顧客）は、詳細な樹木のデータおよび映像を見ながら、自ら選択（決定）する場合もあるが、デザイナーや林業家とともに「どの樹木でどのような家具を制作するのか」を検討し選択（決定）する。その際、タッチパネルで樹木の情報を見たり選定したりするとともに、デザイナーとユーザー（顧客）の決定内容も画面にインプットできるようにする。
【００３２】
ユーザーによっては、曲がった樹木（癖樹）などを自分の趣味に合ったものとして決定することができ、これまで間伐以前にコストをかけて処分（廃棄）されていた樹木が高値で売れることとなる。
【００３３】
図１のｇにおいて、Ａ社は、ＳＮＳで得られた対象者のプロフィル、会話の内容などから、どのような樹木がどのような意味・価値をもつのかを分析し、把握する。そして、この分析結果をデザイナーに提供する。さらに、ユーザー（顧客）が選択（決定）し売れた樹木の実績や制作した家具のデザインなど多くのデータから、どのような樹木がどのような値段で売れるのか、どのようなデザイン、デザイナーと相性が良いかを判定する。
【００３４】
図１のｈにおいて、管理サーバ３０１を備えるＡ社は、どの樹木をどのように伐採するのか（伐採手順情報）をデータとして林業者へ送る。そして、自動伐採機を用いる場合は、このデータが自動伐採機に伝送され、直ちに自動伐採を行うことができる。
【００３５】
更にＡ社は、森林を管理する山主・林業家に、販売予測情報を送る。さらにＡ社は、森林を管理する山主・林業家に、森林樹木の育て方（管理方法）や好ましい伐採の仕方（時期）などを有料で提供する。また、市場やデザイナーには、樹木とデザインの相性を情報としてフィードバックする。
【００３６】
なお、上述した説明では、森林測定器３０２と管理サーバ３０１について同じＡ社が主体となるものとしたが、森林測定器３０２がＢ社、管理サーバ３０１がＡ社と異なる主体となる場合も有り得る。
【００３７】
次に、ユーザーが選択（購入）する樹木における計測（測定）から家具としての納品までの流れを図５に、また販売予測情報および伐採手順情報の提供に至る概念図を図６に示す。
【００３８】
図５において、伐採対象となる森林において、除伐前の森林における各樹木（樹）の特徴量（樹木の形状を定量化したもので曲がり具合（曲がり度）を含む）が計測（測定）される。そのデータの一覧は表示可能であり、ユーザー（個人・業者）が自身で、あるいはデザイナー（家具・リフォーム業者）と共に嗜好の合う樹木を選択（購入）できる。
【００３９】
樹木の選択がされると、家具に用いる樹木の場合、家具のデザインが決定され完成品としての家具の価格が決定される。すると、完成品の価格より割り出された樹木の顧客価値が決定される。すなわち、ユーザーが納得する樹木の価格が決定されることとなる。
【００４０】
選択された樹木は、除伐対象あるいは間伐対象から外れ、流通対象として主伐対象となる。そして、ユーザーが選択した樹木は製材として伐採され、木工の工程を経て家具として納品されることとなる。
【００４１】
このような販売経験を重ねて、データを蓄積することにより、どのような樹木が顧客価値を生み出すのかを定量的に把握し、山主・林業家にフィードバックすることができる。
【００４２】
図６において、伐採対象となる森林における樹木の情報に係る計測データ（測定データ）が管理サーバに蓄積される。管理サーバに蓄積された計測データは、不図示の表示器で一覧が表示される。また、ユーザー、デザイナー、林業家はそれぞれの表示器を用いて表示される一覧を確認できる。なお、ユーザー、デザイナー、林業家、更には山主が、同一の端末における表示器を見て表示される一覧を確認することもできる。
【００４３】
図６において、ユーザーは自身で、あるいは必要に応じてデザイナーや林業家と相談して合意の上で好意を感じた樹木を特定したり、最終的に希望する樹木を選択する。これらの樹木の仕様としては、管理サーバ内の後述する特徴量類似判断部（図８）で直木、曲木が判断され、管理サーバは、処分対象である廃材として認識されていた樹木（曲木）であるかを判別可能に記憶し、ユーザーの選択に係る判断をデータ蓄積する。ユーザーの選択に係る判断としては、例えば「この樹に魅力を感じる」とのコメントである。
【００４４】
更に、管理サーバは、デザイナーおよび林業家のそれぞれの採否の判断をデータ蓄積する。デザイナーと林業家の採否の判断としては、例えばデザイナーからの「この樹はデザイン可能です」とのコメント、林業家からの「この樹は採用可能です」、「この樹は他の樹に接触しているから傷んでいる可能性が高い」とのコメントなどであり、この情報が管理サーバに記憶される。
【００４５】
そして、最終的に選択された樹木に関しては、完成品である家具の見積もり決定がされ、選択した樹木の価格として決定された価格データが管理サーバに記憶される。
【００４６】
なお、図６では、ユーザーに対するアドバイザーとしてデザイナーおよび林業家を示したが、ユーザーに対するアドバイザーとして林業家が介在せず、デザイナーだけが介在する場合もある。また、アドバイザー無し（ユーザーのみ）の場合もある。
【００４７】
また図６において、除伐前の森林Ａとして代表的に記載されるが、過去に森林測定器により樹木の情報が計測（測定）された全ての森林におけるデータが、管理サーバに記憶され蓄積される。
【００４８】
ここで、新たな森林として除伐前の森林Ｚの森林査定を考える場合、森林Ｚにおいて計測（測定）された曲木に関し、データ蓄積された過去に選択された曲木と特徴量が類似する曲木を流通対象（販売可能な曲木）として特定する。そして、販売可能な曲木として特定された曲木の価格に関し、特徴量が類似関係にある樹木で完成品から割り出されて管理サーバに記憶された価格データに基づく価格とする（後に詳述）。
【００４９】
すなわち、データ蓄積された過去に選択された曲木と特徴量が類似関係にある曲木が、
最終的な上記流通対象として、伐採手順情報および販売予測情報の対象となる。
【００５０】
これにより、森林Ｚにおいて、従来は除伐材、間伐材として認識されていた曲木の新たな価値が算出される。そして、上記流通対象として特定された販売可能な曲木の価格を加えるようにして山主・林業家に山（森林）の価値に関わる販売予測情報を提供する。
【００５１】
また、このように特定された曲木は、廃棄対象から流通対象とするように（除伐や間伐の対象とされず、主伐の対象となる）伐採手順情報を林業家へ提供する。これにより、これまでの除伐、間伐、主伐の順序に変化をもたらす。
【００５２】
図７は、図６の概念図をフローチャートとして示したものである。データ蓄積段階にあっては、図６に示した除伐前の森林Ａについて、伐採対象となる森林における樹木の情報に係る計測データ（測定データ）が管理サーバに蓄積される（ステップＳ１００、Ｓ１０１）。管理サーバに蓄積された計測データは、前述したように不図示の表示器で一覧が表示される。また、ユーザー、デザイナー、林業家はそれぞれの端末における表示器を用いて表示される一覧を確認できる（Ｓ１０２，Ｓ１０３，Ｓ１０４）。なお、図６に関して説明したように、デザイナー、林業家、更には山主が、同一の端末における表示器を見て表示される一覧を確認することもできる。
【００５３】
なお、図７において、並列に設けられるＳ１０２、Ｓ１０３における先後に関しては、同時であっても良い。また、図７において、Ｓ１０２、Ｓ１０３は並列に設けているが、直列に設けることもできる。例えば、先ずユーザーが選択してＯＫの場合は次にデザイナーが判断するというフローとすることも可能である。  また、林業家が、ユーザーの選択の後でなく、ユーザーの選択の前に検証を行うフローとすることもできる。
【００５４】
ここで、図７のａ、ｂ、ｃに示すように、Ｓ１０２でユーザーが選択（ＯＫ）、Ｓ１０３でデザイナーが選択（ＯＫ）、Ｓ１０４で林業家が検証（ＯＫ）したとき、図６に示したそれぞれのコメントが、樹木形態（直木、曲木）に応じた販売可能性データとして管理サーバに蓄積される（ステップＳ１０５）。なお、図６に示したように、曲木であるかを判別可能に管理サーバにデータ蓄積することに関しては、図８に関して後述する。
【００５５】
ユーザーもデザイナーもＯＫで更に林業家もＯＫの場合、図７のdにおいて、当該樹木を用いた完成品のデザイン決定・完成品価格決定がされると、当該樹木の価格入力がされ、樹木形態（直木、曲木）に応じた販売価格データが管理サーバに蓄積される（ステップＳ１０６、Ｓ１０７）。
【００５６】
ここで、図７のdにおいて、ユーザーの購入意図がある樹木として複数候補がある場合、Ｓ１０６において、それぞれの候補について価格入力をしても良いし、ユーザーが最も好ましい樹木として最終選択する樹木について価格入力をしても良い。
【００５７】
なお、Ｓ１０７で決定された完成品のデザインの内容をＳＮＳで流すこともできる。
【００５８】
次に、森林査定段階にあっては、新たに伐採対象となる図６に示した除伐前の森林Ｚについて、森林測定器を用いた計測データ（測定データ）が新たに管理サーバに蓄積される（ステップＳ１０８）。
【００５９】
そして、図６で説明したように、森林Ｚにおいて計測（測定）された曲木に関し、過去に選択された曲木と特徴量が類似する曲木を販売可能な曲木（流通対象）として特定する（ステップ１０９）。そして、特定された曲木の価格に関し、ステップＳ１０７で蓄積された類似関係にある過去に選択された曲木の価格データに基づく価格とする。例えば、
特定された曲木の価格に関し、ステップＳ１０７で蓄積された類似関係にある過去に選択された曲木の価格データと同じ価格（類似度によらず同じ価格））としても良く、あるいはステップＳ１０７で蓄積された類似関係にある過去に選択された曲木の価格データを基準にして、類似度を指数として算定される価格（類似度が高い場合は、類似度が低い場合に対し高い価格）としても良い。
【００６０】
これにより、森林Ｚにおいて、従来は除伐材、間伐材として認識されていた曲木の新たな価値が算出される。そして、上記流通対象として特定された販売可能な曲木の価格を加えるようにして山主・林業家に山（森林）の価値に関わる販売予測情報を提供する（Ｓ１１１）。また、このように特定された曲木は、廃棄対象から流通対象とするように（除伐や間伐の対象とされず、主伐の対象となる）伐採手順情報を林業家へ提供する（Ｓ１１０）。
【００６１】
そして、Ｓ１０９で得られたデータは、Ｓ１０１のデータ蓄積に加えられる。
【００６２】
ここで、図８に示すように、管理サーバ３０１は、データ蓄積部３１０、特徴量類似度判断部３２０、販売予測情報出力部３３０、伐採手順情報出力部３４０を備える。
【００６３】
データ蓄積部３１０は、図７のステップＳ１０１、Ｓ１０５、Ｓ１０７、Ｓ１０９におけるデータ蓄積を行う。また、販売予測情報出力部３３０、伐採手順情報出力部３４０は、図７のステップＳ１１１、Ｓ１１０を行うためのものである。
【００６４】
そして、特徴量類似度判断部３２０は、次の２つの類似度判断を行う。1つ目として、森林Ｚにおける樹木に関し、直木、曲木の判断をし、処分対象である廃材として認識されていた樹木（曲木）であるかを判別可能にデータ蓄積する。
【００６５】
すなわち、真っ直ぐな樹木（直木）を基準に類似度を判断し、類似度が所定値以上の樹木を直木、類似度が所定値に達しない樹木を曲木として判断する。そして、直木、曲木の判断結果は、データ蓄積部３１０に記憶され蓄積される。
【００６６】
２つ目として、森林Ｚにおける曲木の情報に関し、森林Ａにおけるユーザーが選択（購入）した曲木の特徴量と類似するかを判断する。これを簡便に行う方法を図９を用いて説明する。
【００６７】
曲がりを最も表す方向（以下、正面方向）から樹木（曲木）を２次元形状として観察する前提で、図９（ａ）は、樹木の根元側から先端側へ延びる方向の各領域における曲がり度を示すベクトルを示す。領域の数は、多い程類似判断の精度が高まるが、簡便に行うためには多すぎないことが望ましく、ここでは５つの領域として例示する（図９（ｂ））。
【００６８】
図９（ａ）で、根元側から鉛直方向で上側に樹木がある場合を０とし、２２．５度単位で鉛直方向で上側より曲がる場合を１、２、３、４（水平方向）、５、６、７、８（鉛直方向で下側）とする。また、逆方向に曲がる場合はマイナス符号を付ける。なお、曲がる方向が各数値の境界となる場合は、０に近い方の数値とすることができる。
【００６９】
図９（ｂ）は、根元側から先端側に向けて、順次２，１，０、−１、−２を付ける曲木の場合を示す。また、図９（ｃ）は、このような曲木の曲がり度を示すデータ列を示す。
【００７０】
なお、各領域は均等の長さでなくて良く、特徴量が変化するまでの長さを各領域の長さと定めることができる。
【００７１】
このようにして、０の場合は直木に相当する領域、０以外の場合は数値が大きい程曲がりが大きい領域として数値化される。
【００７２】
そして、数値化された根元側からのデータ列を用いて、森林Ｚにおける検出された曲木のデータ列と、既に森林Ａにおける曲木でユーザーが選択（購入）した曲木のデータ列とを比較する。すなわち、森林Ｚにおけるデータ列が森林Ａにおけるデータ列に含まれる場合、あるいは森林Ｚにおけるデータ列が森林Ａにおけるデータ列と合致する場合は、森林Ｚにおいて流通対象となる曲木と判断する。
【００７３】
更に、比較するデータ列において、各領域の長さが同様の場合は類似度が最も高いと判断し、いずれかの領域の長さが異なる場合は類似度がやや低いと判断することもできる。
【００７４】
なお、樹木におけるこぶや枝分かれがある箇所を符号９として付与することもできる。
この場合、符号９を含めたデータ列同士の比較とすることもでき、データ列における符号９が現れる位置が同じ場合は類似度が最も高いと判断し、データ列において符号９が現れるが位置が異なる場合は類似度がやや低いと判断することもできる。
【００７５】
また、符号９を除いたデータ列同士の比較とすることもできる。
【００７６】
なお、図９（a）では２２．５度単位で曲がり度を示すベクトルを示したが、これに限られず、異なる角度単位（例えば更に細かく１０度単位や５度単位など）で曲がり度を示すベクトルを設定しても良い。
【００７７】
また、曲木を上記正面方向から見た場合を示したが、このような1方向からだけでなく、複数方向（正面方向、正面方向と直交する右側方向および左側方向、正面方向と反対側の奥側方向の４方向、あるいは、正面方向とこれに直交する右側方向もしくは左側方向の２方向など）で上述したデータ列を比較しても良い。この場合、複数方向において、森林Ｚにおけるデータ列が森林Ａにおけるデータ列に含まれる場合、あるいは森林Ｚにおけるデータ列が森林Ａにおけるデータ列と合致する場合は、１方向だけで森林Ｚにおけるデータ列が森林Ａにおけるデータ列に含まれる場合、あるいは森林Ｚにおけるデータ列が森林Ａにおけるデータ列と合致する場合よりも類似度が高いと判断することができる。
【００７８】
森林Ｚにおける曲木の情報に関し、森林Ａにおけるユーザーが選択（購入）した曲木の特徴量と類似するかを判断するのに、簡便な方法を上述したが、これに限らず、画像同士を比較する公知のパターンマッチング技術をＡＩ（人工知能）を用いて行うこともできる。
【００７９】
次に、従来の市場情報の流れと、本発明の実施形態に係る森林資源流通管理システムにおける市場情報の流れに関する説明図を図２に示す。
【００８０】
従来の市場情報の流れは、上流に位置する顧客（ユーザー）から、順に販社、デザイナー、木工職人、製材業（業者）を経て下流に位置する林業（山主・林業家）に至るものであった。
【００８１】
これに対し、本実施形態に係る森林資源流通管理システムにおける市場情報の流れは、
林業（山主・林業家）にマーケティング機能を置くように、林業（山主・林業家）を上流側に位置させる。すなわち、上流に位置する顧客に近いところから、順に林業（山主・林業家）、デザイナー、販社、木工職人を経て下流に位置する製材業（業者）に至る。また、顧客（ユーザー）は、林業（山主・林業家）を認識したデザイナーに直接結び付くこともある。
【００８２】
本実施形態に係る森林資源流通管理システムにおける市場情報の流れによれば、山主、林業者（林業家）が自ら所有する森林樹木をユーザー（顧客）にダイレクトにアピールすることができる。このように、本実施形態によれば林業をコストセンターからプロフィットセンターへ変身させることができる。
【００８３】
上述した本実施形態において、管理サーバ３０１は、第１の情報に対する第２の情報に基づいて、第３の情報として伐採手順情報もしくは販売予測情報を林業家もしくは山主へ送信するとしたが、以下の形態がより好ましいものと考えられる。すなわち、伐採手順情報を林業家へ送信、もしくは販売予測情報を山主もしくは林業家へ送信することである。勿論、伐採手順情報を林業家へ送信、および販売予測情報を山主もしくは林業家へ送信することもできる。
【００８４】
以上、本実施形態によれば、森林資源としての樹木を注文するユーザー（顧客）と、森林を管理する山主もしくは林業家の双方に有益な森林資源流通管理システムとすることができる。更に、本実施形態によれば、家具もしくはリフォームに関わるデザイナーに限らず、建築、装飾品なども含め木質デザインに関わる全てのデザイナーにとっても、ユーザー（顧客）とともにデザインを決める過程で新たな創作のインスピレーションが与えられることで、有益な森林資源流通管理システムとすることができる。すなわち、木を素材とするデザイナー全てに有益な森林資源流通管理システムとすることができる。
【００８５】
なお、本発明は上述した実施形態に限定されるものでなく、本発明の要旨の範囲内で適宜変形した変形例を含むものである。例えば、第１の情報として上述した実施形態では、樹木の伐採前の画像を含む情報としたが、画像を含まない情報（曲がり具合がユーザーに認識できるデータのみ）、あるいは画像のみの情報であっても良い。
【００８６】
そして、上述した実施形態では、森林測定器３０２としてＧＰＳ受信機を備えた森林３次元計測システム「ＯＷＬ（登録商標）」を用いるとしたが、ＧＰＳ受信機を機能させなくても、ある程度の精度で樹木情報を取得することができる。また、「ＯＷＬ（登録商標）」とは別の森林測定器（異なる測定方法やソフトのプログラムを用いる）を用いて同様の樹木情報を取得するようにしても良い。
【００８７】
更には、ＡＩ（人工知能）により写真（画像）を基に、ＶＲ（仮想現実）、ＡＲ（拡張現実）、ＭＲ（複合現実）をユーザー（顧客）に提示し、ユーザー（顧客）が自身でもしくはデザイナーと相談して希望する樹木を選択するようにすることも可能である。
【００８８】
また、第１の情報をユーザーへ送信し、ユーザーが希望する樹木を選択して送信する情報を第２の情報として受信することに関し、ユーザーへ送信する情報は、取得手段からの情報（第１の情報）と実質的に同じものであれば良い。勿論、完全に同じものでも良い。一方、図１のｄにおいて説明した、ＳＮＳやＨＰ（ホームページ）のサイトにて一般に開放し閲覧可能とする大まかな映像情報は、取得手段からの情報（第１の情報）と完全に同じものでなく、かつ実質的に同じものではない（第１の情報に対し、情報量が相当減少した情報である）。
【００８９】
なお、本発明の実施形態に係わる森林資源流通管理システムを説明したが、本発明は森林資源流通管理システムに限られず、森林資源流通管理方法、これに用いられるプログラムとしての実施態様をとり得る。
【符号の説明】
【００９０】
３０１・・管理サーバ、３０２・・森林測定器、３０３・・家具・リフォーム業者、３０４・・モバイル端末、３０５・・山主・林業家、３２０・・特徴量類似度判断部
【図１】
2020201933.tif 000003
【図２】
2020201933.tif 000004
【図３】
2020201933.tif 000005
【図４】
2020201933.tif 000006
【図５】
2020201933.tif 000007
【図６】
2020201933.tif 000008
【図７】
2020201933.tif 000009
【図８】
2020201933.tif 000010
【図９】
2020201933.tif 000011
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
管理サーバを有する森林資源流通管理システムであって、
前記管理サーバは、
山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積することと、
前記第１の情報の内、ユーザーが希望する樹木として選択する情報を第２の情報として少なくとも含むように受信し、処分対象である廃材として認識されていた樹木であるかを判別可能にデータ蓄積することと、
前記ユーザーが希望する樹木として選択した樹木を用いた完成品の価格から割り出される前記選択した樹木の価格データを蓄積することと、
新たに山主もしくは林業家が管理する森林における所定区画の樹木に対し、前記取得手段でそれぞれの樹木の伐採前の情報を取得するとき、
データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供すること、とを少なくとも実行するように構成されていることを特徴とする森林資源流通管理システム。
【請求項２】
前記ユーザーが希望する樹木は、家具もしくはリフォーム、建築、装飾品のいずれかにおける木質デザインに関わるデザイナー、および前記林業家のうち、少なくとも前記デザイナーと共に、前記ユーザーが選択することを特徴とする請求項１に記載の森林資源流通管理システム。
【請求項３】
前記ユーザーが希望する樹木は、家具もしくはリフォーム、建築、装飾品のいずれかにおける木質デザインに関わるデザイナー、および前記林業家と共に、前記ユーザーが選択し、
蓄積される前記第２の情報には、前記デザイナーおよび前記林業家のそれぞれの採否の判断を含むことを特徴とする請求項１に記載の森林資源流通管理システム。
【請求項４】
前記取得手段を有することを特徴とする請求項１乃至３のいずれか1項に記載の森林資源流通管理システム。
【請求項５】
前記管理サーバは、前記第１の情報の概略をＳＮＳで市場に送信し、市場からの反応を収集して前記所定区画における樹木の価値を分析することを実行するように構成されていることを特徴とする請求項１乃至４のいずれか1項に記載の森林資源流通管理システム。
【請求項６】
前記取得手段は、それぞれの樹木の径および高さ並びに曲がり具合がユーザーに認識できる３６０度画像を取得することを特徴とする請求項１乃至５のいずれか1項に記載の森林資源流通管理システム。
【請求項７】
前記第３の情報は、林業家へ提供される伐採手順情報を備え、
林業家に提供される前記伐採手順情報に基づいて自動伐採を行う自動伐採機を備えることを特徴とする請求項１乃至６のいずれか１項に記載の森林資源流通管理システム。
【請求項８】
森林資源流通管理方法であって、
管理サーバが、山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、
前記管理サーバが、前記第１の情報の内、ユーザーが希望する樹木として選択する情報を第２の情報として少なくとも含むように受信し、処分対象である廃材として認識されていた樹木であるかを判別可能にデータ蓄積するステップと、
前記管理サーバが、前記ユーザーが希望する樹木として選択した樹木を用いた完成品の価格から割り出される前記選択した樹木の価格データを蓄積するステップと、
新たに山主もしくは林業家が管理する森林における所定区画の樹木に対し、前記取得手段でそれぞれの樹木の伐採前の情報を取得するとき、
前記管理サーバが、データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、
を備えることを特徴とする森林資源流通管理方法。
【請求項９】
管理サーバに、
山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、
前記第１の情報の内、ユーザーが希望する樹木として選択する情報を第２の情報として少なくとも含むように受信し、処分対象である廃材として認識されていた樹木であるかを判別可能にデータ蓄積するステップと、
前記ユーザーが希望する樹木として選択した樹木を用いた完成品の価格から割り出される前記選択した樹木の価格データを蓄積するステップと、
新たに山主もしくは林業家が管理する森林における所定区画の樹木に対し、前記取得手段でそれぞれの樹木の伐採前の情報を取得するとき、
データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、
を少なくとも実行させることを特徴とするプログラム。
【手続補正２】
【補正対象書類名】明細書
【補正対象項目名】０００９
【補正方法】変更
【補正の内容】
【０００９】
また、本発明に係る森林資源流通管理方法は、管理サーバが、山主もしくは林業家が管理する森林における所定区画の樹木を林業家による伐採対象とし、前記所定区画におけるそれぞれの樹木の伐採前の情報を取得する取得手段からの情報を第１の情報として受信しデータ蓄積するステップと、前記管理サーバが、前記第１の情報の内、ユーザーが希望する樹木として選択する情報を第２の情報として少なくとも含むように受信し、処分対象である廃材として認識されていた樹木であるかを判別可能にデータ蓄積するステップと、前記管理サーバが、前記ユーザーが希望する樹木として選択した樹木を用いた完成品の価格から割り出される前記選択した樹木の価格データを蓄積するステップと、新たに山主もしくは林業家が管理する森林における所定区画の樹木に対し、前記取得手段でそれぞれの樹木の伐採前の情報を取得するとき、前記管理サーバが、データ蓄積された前記第２の情報の内で処分対象である廃材として認識されていた樹木であって、前記選択された樹木と特徴量が類似する、新たに情報が取得された樹木を流通対象とするように林業家へ提供される伐採手順情報、および前記流通対象の価格として前記完成品の価格から割り出される価格データに基づく価格を加えるようにして林業家もしくは山主へ提供される販売予測情報の少なくとも一方を第３の情報として提供するステップと、を備えることを特徴とする。